【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
原稿における画像を読取る読取手段と、
前記読取りにより得られた画像に二次元コードが含まれる場合に、当該二次元コードが複写禁止を示しているか判定する判定手段と、
前記読取りにより得られた画像に含まれる二次元コードが複写禁止を示していると判定された場合に、前記画像を印刷せず、
前記読取りにより得られた画像に含まれる二次元コードが複写禁止を示していないと判定された場合に、当該二次元コードを含まず、別の二次元コードが付加された画像を用紙に印刷する印刷手段とを有する複写装置であって、
原稿における第１の領域の画像と、第２の領域の画像を別々の用紙に印刷する設定がなされている場合に、
前記読取手段は、前記原稿における第１の領域の画像を読取り、
前記判定手段は、前記読取りにより得られた第１の領域の画像に二次元コードが含まれる場合に、当該二次元コードが複写禁止を示しているか判定し、
前記印刷手段は、前記読取りにより得られた第１の領域の画像に含まれる二次元コードが複写禁止を示していると判定された場合に、前記第１の領域の画像及び前記第２の領域の画像の何れをも印刷しないことを特徴とする複写装置。
【請求項２】
前記第１の領域は、前記原稿における左半分の領域であり、
前記第２の領域は、前記原稿における右半分の領域であることを特徴とする請求項１に記載の複写装置。
【請求項３】
前記第２の領域は、前記読取手段で前記第１の領域よりも後で読取られるべき領域であることを特徴とする請求項１又は２に記載の複写装置。
【請求項４】
前記判定手段は、前記第読取りにより得られた第１の領域の画像に含まれる二次元コードが複写禁止を示していると判定した場合に、
前記判定手段は、前記第２の領域の画像に含まれる二次元コードが複写禁止を示しているか判定しないことを特徴とする請求項１乃至３の何れか１項に記載の複写装置。
【請求項５】
前記読取手段は、前記原稿における前記第２の領域を読取ることが可能となっており、
前記判定手段は、前記読取りにより得られた第１の領域の画像に含まれる二次元コードが複写禁止を示していないと判定した場合に、前記第２の領域の画像に含まれる二次元コードが複写禁止を示しているか判定することを特徴とする請求項１乃至４の何れか１項に記載の複写装置。
【請求項６】
前記判定手段で、前記読取りにより得られた第１の領域の画像に含まれる二次元コードが複写禁止を示しておらず、かつ、前記第２の領域の画像に含まれる二次元コードが複写禁止を示していないと判定された場合に、
前記印刷手段は、
前記第１の領域に対応する画像に含まれていた二次元コードを含まず、別の二次元コードが付加された画像と、前記第２の領域に対応する画像に含まれていた二次元コードを含まず、別の二次元コードが付加された画像を別々の用紙に印刷することを特徴とする請求項５に記載の複写装置。
【請求項７】
前記第１の領域に対応する画像に含まれていた二次元コードを含まず、別の二次元コードが付加された画像における、前記別の二次元コードを、
前記第１の領域に対応する画像に含まれていた二次元コードから抽出された情報に基づいて生成する生成手段をさらに有することを特徴とする請求項６に記載の複写装置。
【請求項８】
前記第１の領域に対応する画像に含まれていた二次元コードを含まず、別の二次元コードが付加された画像を得るために、
前記第１の領域に対応する画像に対して、前記第１の領域に対応する画像に含まれていた二次元コードを削除し、前記生成された二次元コードを付加する処理を行うことを特徴とする請求項７に記載の複写装置。
【請求項９】
前記生成手段は、
前記第２の領域に対応する画像に含まれていた二次元コードを含まず、別の二次元コードが付加された画像における、前記別の二次元コードを、
前記第２の領域に対応する画像に含まれていた二次元コードから抽出された情報に基づいて生成することを特徴とする請求項６乃至８の何れか１項に記載の複写装置。
【請求項１０】
前記第２の領域に対応する画像に含まれていた二次元コードを含まず、別の二次元コードが付加された画像を得るために、
前記第２の領域に対応する画像に対して、前記第２の領域に対応する画像に含まれていた二次元コードを削除し、前記第２の領域に対応する画像に含まれていた二次元コードから抽出された情報に基づいて生成された二次元コードを付加する処理を行うことを特徴とする請求項９に記載の複写装置。
【請求項１１】
原稿における画像を読取る読取工程と、
前記読取りにより得られた画像に二次元コードが含まれる場合に、当該二次元コードが複写禁止を示しているか判定する判定工程と、
前記読取りにより得られた画像に含まれる二次元コードが複写禁止を示していると判定された場合に、前記画像を印刷せず、
前記読取りにより得られた画像に含まれる二次元コードが複写禁止を示していないと判定された場合に、当該二次元コードを含まず、別の二次元コードが付加された画像を用紙に印刷する印刷工程とを有する複写方法であって、
原稿における第１の領域の画像と、第２の領域の画像を別々の用紙に印刷する設定がなされている場合に、
前記読取工程は、前記原稿における第１の領域の画像を読取り、
前記判定工程は、前記読取りにより得られた第１の領域の画像に二次元コードが含まれる場合に、当該二次元コードが複写禁止を示しているか判定し、
前記印刷工程は、前記読取りにより得られた第１の領域の画像に含まれる二次元コードが複写禁止を示していると判定された場合に、前記第１の領域の画像及び前記第２の領域の画像の何れをも印刷しないことを特徴とする複写方法。
【請求項１２】
請求項１乃至１０の何れか１項に記載の複写装置としてコンピュータを機能させるためのコンピュータ読取り可能なプログラム。
【手続補正２】
【補正対象書類名】明細書
【補正対象項目名】発明の名称
【補正方法】変更
【補正の内容】
【発明の名称】複写装置、複写方法、プログラム
【手続補正３】
【補正対象書類名】明細書
【補正対象項目名】０００１
【補正方法】変更
【補正の内容】
【０００１】
本発明は、複写装置、複写方法、プログラムに関するものである。
【手続補正４】
【補正対象書類名】明細書
【補正対象項目名】０００９
【補正方法】変更
【補正の内容】
【０００９】
上記課題を解決すため、本発明に係る複写装置は、原稿における画像を読取る読取手段と、前記読取りにより得られた画像に二次元コードが含まれる場合に、当該二次元コードが複写禁止を示しているか判定する判定手段と、前記読取りにより得られた画像に含まれる二次元コードが複写禁止を示していると判定された場合に、前記画像を印刷せず、前記読取りにより得られた画像に含まれる二次元コードが複写禁止を示していないと判定された場合に、当該二次元コードを含まず、別の二次元コードが付加された画像を用紙に印刷する印刷手段とを有する複写装置であって、原稿における第１の領域の画像と、第２の領域の画像を別々の用紙に印刷する設定がなされている場合に、前記読取手段は、前記原稿における第１の領域の画像を読取り、前記判定手段は、前記読取りにより得られた第１の領域の画像に二次元コードが含まれる場合に、当該二次元コードが複写禁止を示しているか判定し、前記印刷手段は、前記読取りにより得られた第１の領域の画像に含まれる二次元コードが複写禁止を示していると判定された場合に、前記第１の領域の画像及び前記第２の領域の画像の何れをも印刷しないことを特徴とする。